(57)【要約】異なるネットワーク（５０、６０）において移動局（１０）で共通の番組コンテンツを受信する方法及び装置を記載する。ホーム網（５０）にある間、移動局（１０）は第１の同報チャネルを介して選択番組コンテンツを受信する。移動局（１０）が在圏網（６０）に移動する場合に、移動局（１０）のマッピング・プロセッサ（２２）は、在圏網（６０）において選択番組コンテンツを放送する第２のチャネルに第１のチャネルをマッピングする。その後、移動局（１０）が在圏網（６０）にとどまる限り、移動局（１０）は選択コンテンツを第２の同報チャネルで受信する。その結果、マッピング処理はユーザにとって透過的である。
2009518948.tif 000002
【特許請求の範囲】
【請求項１】
ホーム網（５０）の外へローミングする移動局（１０）で選択番組コンテンツを受信する方法であって、
前記移動局（１０）が前記ホーム網（５０）内に位置する間に、該移動局（１０）は第１の同報チャネルで前記選択番組コンテンツを受信する工程と、
前記移動局（１０）が在圏網（６０）へローミングする場合に、前記在圏網（６０）において前記選択番組コンテンツを放送する第２の同報チャネルに前記第１の同報チャネルをマッピングする工程と、
前記移動局（１０）が前記在圏網（６０）内に位置する間に、該移動局（１０）は前記第２の同報チャネルで前記選択番組コンテンツを受信する工程と
を備える方法。
【請求項２】
前記第２の同報チャネルに前記第１の同報チャネルをマッピングする工程は、該第１の同報チャネルに割り当てられた第１のチャネル・インジケータを該第２の同報チャネルに関連付ける工程を備えることを特徴とする請求項１に記載の方法。
【請求項３】
前記第１のチャネル・インジケータはホーム網（５０）によって前記第１の同報チャネルに割り当てられることを特徴とする請求項２に記載の方法。
【請求項４】
前記第１のチャネル・インジケータは、前記第１の同報チャネルに関連付けられたネットワーク割り当てのチャネル・インジケータに関連付けられたユーザ選択のチャネル・インジケータを備えることを特徴とする請求項２に記載の方法。
【請求項５】
前記在圏網（６０）において番組コンテンツを放送する１以上の同報チャネルのためのチャネル識別子を受信する工程をさらに備える請求項１に記載の方法。
【請求項６】
前記第２の同報チャネルに前記第１の同報チャネルをマッピングする工程は、前記受信したチャネル識別子に基づいて該第２の同報チャネルに該第１の同報チャネルをマッピングする工程を備えることを特徴とする請求項５に記載の方法。
【請求項７】
前記チャネル識別子を受信する工程は、該チャネル識別子を含む制御信号を受信する工程を備えることを特徴とする請求項５に記載の方法。
【請求項８】
前記チャネル識別子を受信する工程は、各同報チャネルのための番組コンテンツを受信する工程であって、該各同報チャネルのための番組コンテンツはチャネル識別子を含む工程を備えることを特徴とする請求項５に記載の方法。
【請求項９】
前記移動局（１０）が前記在圏網（６０）へローミングする場合に、新たな番組コンテンツに新たなチャネル・インジケータを割り当てる工程をさらに備え、前記新たな番組コンテンツは前記ホーム網（５０）で利用できないことを特徴とする請求項１に記載の方法。
【請求項１０】
将来の使用のために前記第１の同報チャネルの前記第２の同報チャネルへのマッピングに関連付けられたマッピング情報を記憶する工程をさらに備える請求項１に記載の方法。
【請求項１１】
移動局（１０）であって、
前記移動局（１０）がホーム網（５０）内に位置する間に、第１の同報チャネルで選択番組コンテンツを受信し、
前記移動局（１０）が在圏網（６０）内に位置する間に、第２の同報チャネルで前記選択番組コンテンツを受信する
ように構成された送受信器（１２）と、
前記移動局（１０）が前記在圏網（６０）へローミングする場合に、前記在圏網（６０）において前記選択番組コンテンツを放送する第２の同報チャネルに前記第１の同報チャネルをマッピングするように構成されたプロセッサ（２２）と
を備える移動局（１０）。
【請求項１２】
前記プロセッサ（２２）は、該第１の同報チャネルに割り当てられた第１のチャネル・インジケータを該第２の同報チャネルに関連付けることによって、前記第２の同報チャネルに前記第１の同報チャネルをマッピングすることを特徴とする請求項１１に記載の移動局（１０）。
【請求項１３】
前記第１のチャネル・インジケータはホーム網（５０）によって前記第１の同報チャネルに割り当てられることを特徴とする請求項１２に記載の移動局（１０）。
【請求項１４】
前記第１のチャネル・インジケータは、前記第１の同報チャネルに関連付けられたネットワーク割り当てのチャネル・インジケータに関連付けられたユーザ選択のチャネル・インジケータを備えることを特徴とする請求項１２に記載の移動局（１０）。
【請求項１５】
前記送受信器（１２）は、前記在圏網（６０）において番組コンテンツを放送する１以上の同報チャネルのためのチャネル識別子を受信するようにさらに構成され、
前記プロセッサ（２２）は、前記受信したチャネル識別子に基づいて前記第２の同報チャネルに前記第１の同報チャネルをマッピングするように構成されたことを特徴とする請求項１１に記載の移動局（１０）。
【請求項１６】
前記プロセッサ（２２）は、前記移動局（１０）が前記在圏網（６０）へローミングする場合に、新たな番組コンテンツに新たなチャネル・インジケータを割り当てるようにさらに構成され、
前記新たな番組コンテンツは前記ホーム網（５０）で利用できないことを特徴とする請求項１１に記載の移動局（１０）。
【請求項１７】
前記送受信器（１２）は、デジタル・ビデオ・ブロードキャスティング受信器を備えることを特徴とする請求項１１に記載の移動局（１０）。
【請求項１８】
将来の使用のために前記第１の同報チャネルの前記第２の同報チャネルへのマッピングに関連付けられたマッピング情報を記憶するように構成されたメモリ（１６）をさらに備える請求項１１に記載の移動局（１０）。
【発明の詳細な説明】
【技術分野】
【０００１】
本発明は一般にマルチメディア放送に関し、より詳しくは移動局によって受信されるマルチメディア放送に関する。
【背景技術】
【０００２】
無線技術は移動局に対してより多くの特徴を提供するために発展し続けている。例えば、ヨーロッパ電気通信標準化協会（ＥＴＳＩ）は近頃、地上デジタル放送向けのデジタル・ビデオ・ブロードキャスティング（ＤＢＶ）標準規格を修正することによって、移動局向けの放送標準規格を策定した。その結果として２００４年に公開されたＤＶＢ−Ｈ（ハンドヘルド端末向けＤＶＢ伝送システム）標準規格は、無線ネットワークによって割り当てられた同報チャネルを通じて、選択番組コンテンツ（ｓｅｌｅｃｔｅｄ  ｐｒｏｇｒａｍ  ｃｏｎｔｅｎｔ）を移動局に放送するために要求される伝送パラメータを規定する。
【０００３】
移動局がそのホーム網（ｈｏｍｅ  ｎｅｔｗｏｒｋ）にとどまる限り、移動局は割り当てられた同報チャネルで選択番組コンテンツを受信できる。しかしながら、ひとたび移動局がホーム網から在圏網（ｖｉｓｉｔｅｄ  ｎｅｔｗｏｒｋ）へローミングすると、在圏網が異なる同報チャネルで選択番組コンテンツを放送する場合には、移動局はホーム網に割り当てられた同報チャネルで選択番組コンテンツを受信できないだろう。その結果、選択番組コンテンツを受信し続けるために、ユーザは、在圏網において選択コンテンツを放送する同報チャネルに移動局を合わせなければならない。このことは、ユーザが所望の同報チャネルの識別情報を知らない場合や所望の同報チャネルを発見できない場合に問題となりうる。さらに、異なるネットワークに移動局が入るたびに移動局のチャネルを変えることに関する煩わしさは、ユーザの放送機能を使用する気をそぎ、無線サービス・プロバイダの収益を減少させる。
【発明の開示】
【発明が解決しようとする課題】
【０００４】
本発明は、ホーム網の内外にローミングする移動局で選択番組コンテンツを受信する方法及び装置を記載する。ホーム網にある間は、移動局は第１の同報チャネルを介して選択番組コンテンツを受信する。しかしながら、移動局が在圏網へローミングする場合に、在圏網が異なる同報チャネルを使用して選択コンテンツを放送するときには、移動局は第１の同報チャネルで選択コンテンツを受信できない。
【課題を解決するための手段】
【０００５】
この問題を解決するために、本発明に係る移動局は、移動局が在圏網に入る場合に、在圏網において選択コンテンツを放送する第２のチャネルに第１のチャネルをマッピングする。この結果、移動局が第２の同報チャネルで選択コンテンツを物理的に受信する間は、移動局が在圏網にとどまる限り、ユーザは第１の同報チャネルを選択することによって所望のコンテンツを選択できる。従って、本発明により実行されるマッピングはユーザに透過的である。
【発明を実施するための最良の形態】
【０００６】
本発明は同報チャネルを通じてマルチメディア番組を受信する移動局に関する。本明細書で使用されるように、移動局という用語は、無線通信のために使用される任意の携帯用装置を意味し、携帯電話、ＰＤＡ、パームトップ・コンピュータ若しくはノート・コンピュータ、及び無線電話機を有する任意のその他の装置を制限なく含む。移動局の動作は当業者に十分に理解されるが、後続する議論を容易にするために図１に説明される例示的な移動局１０を以下に簡単に説明する。
【０００７】
移動局１０は、送受信器１２、アンテナ１４、メモリ１６、ユーザ・インタフェイス１８、及びシステム・プロセッサ２０を含む。送受信器１２は、ＧＳＭ（モバイル通信向けグローバル・システム）、ＣＤＭＡ（符号分割多重接続）等のような任意の既知の無線通信規格に従って、アンテナ１４を介して無線信号を受信・送信する全機能搭載の無線送受信器を備える。システム・プロセッサ２０は、メモリ１６に記憶されたプログラムとユーザ・インタフェイス１８を介してユーザにより提供される命令とに応答して、移動局１０の動作を制御する。システム・プロセッサ２０は１以上のマイクロプロセッサ、マイクロコンピュータ、デジタル・シグナル・プロセッサ、専用ハードウェア回路、ファームウェア、ソフトウェア、又はこれらの組合せを備えてもよい。システム・プロセッサ２０とメモリ１６とのうち少なくともいずれかは特定用途向け集積回路（ＡＳＩＣ）として実装されてもよいことが理解されよう。
【０００８】
無線ネットワークは、ネットワーク内の移動局１０に異なる同報チャネルを通じて異なる番組コンテンツを放送する。ユーザが例えばユーザ・インタフェイス１８を用いてチャネル番号を入力することによって特定の同報チャネルを選択した場合に、選択された同報チャネルを介して対応する番組コンテンツを受信するようにシステム・プロセッサ２０は送受信器１２を構成する。このように、ユーザは、所望の番組コンテンツを放送する同報チャネルを選択することによって、所望の番組コンテンツを選択できる。
【０００９】
図２は移動局１０向けの例示的なホーム網５０と、移動局がホーム網５０の外へローミングする場合に移動局１０にサービスしうる二つの例示的な在圏網６０とを説明する。図２は各ネットワーク５０、６０で利用できる同報チャネルについても説明する。本発明が図２に説明される特定の詳細に限定されないことは当業者に理解されよう。
【００１０】
当業者には十分に理解されるように、各ネットワーク５０、６０は割り当てられた同報チャネルで番組コンテンツを放送する。ネットワーク５０、６０は、チャネル・インジケータすなわちチャネル番号、伝送周波数、変調パラメータ、チャネル・コンテンツ識別表示などのような特定の同報チャネル情報を各同報チャネルに割り当てる。移動局１０は、移動局のホーム網５０に関連付けられた同報チャネル情報をメモリ１６に記憶する。図２に説明されるホーム網５０では、移動局１０は、その他の同報チャネル情報と同様に、チャネル・インジケータ２９、３１、４２、１２０、及び４００をそれぞれ、ＣＮＮ、ＥＳＰＮ、ザ・ウェザー・チャネル（ＴＷＣ）、ＣＳＰＡＮ３、及びＨＢＯに対応する同報チャネルとして記憶する。移動局１０がホーム網５０内で動作する限り、ユーザはユーザ・インタフェイス１８を用いてチャネル・インジケータの一つを入力することによって、同報チャネルを選択できる。このユーザ入力に応答して、システム・プロセッサ２０は、選択された同報チャネルで放送される番組コンテンツを受信するように送受信器１２を構成する。以下はネットワーク固有のチャネル・インジケータに関するチャネル・インジケータについて議論するが、チャネル・インジケータはユーザにより選択された事前の設定値を備えてもよいことが当業者に理解されよう。ここで、ユーザに選択された事前の設定値はそれぞれ、ネットワークに割り当てられた、チャネル・インジケータ及び同報チャネルの少なくともいずれかに対応する。例えば、ユーザは、事前の設定チャネル１、２、３、４、及び５をそれぞれ、ネットワーク固有のチャネル３１、２９、４２、４００、及び１２０に割り当てることができるだろう。
【００１１】
図２に示すとおり、ホーム網５０と在圏網６０とは共通の番組コンテンツを放送するために同一の同報チャネルを使用してもよい。例えば、グリーンズバラ・ネットワーク５０とローリー・ネットワーク６０との両方は、ＨＢＯの番組コンテンツを放送するのにチャネル４００を使用する。しかしながら、在圏網６０はホーム網５０で使用されるのと異なる同報チャネルに共通の番組コンテンツを割り当ててもよい。これらの異なるチャネル割り当てによって、移動局１０がこのホーム網５０からローミングする際に好ましくない放送中断が起きるかもしれない。なぜなら、例えば、在圏網６０において選択コンテンツをユーザが発見できないかもしれないからである。例えば、グリーンズバラ在圏網６０においてチャネル４２はＳｃｉＦｉのチャネルに割り当てられているため、チャネル４２に合わせた移動局１０は、グリーンズバラ在圏網６０へローミングすると、ホーム網５０においてチャネル４２に関連付けられたＴＷＣの番組コンテンツの替わりにＳｃｉＦｉの番組コンテンツを受信するだろう。
【００１２】
これらの問題を解決するために、本発明に係る移動局１０はマッピング・プロセッサ２２を含む。システム・プロセッサ２０と同様に、マッピング・プロセッサ２２は１以上のマイクロプロセッサ、マイクロコンピュータ、デジタル・シグナル・プロセッサ、専用ハードウェア回路、ファームウェア、ソフトウェア、又はこれらの組合せを備えてもよい。図１はマッピング・プロセッサ２２がシステム・プロセッサ２０の一部であるとして説明するが、その替わりに、マッピング・プロセッサ２２がシステム・プロセッサ２０から独立して実装されてもよいことが当業者に理解されよう。
【００１３】
移動局１０が在圏網６０へローミングする場合に、マッピング・プロセッサ２２はホーム同報チャネルと同一の番組コンテンツを放送する在圏同報チャネル（ｖｉｓｉｔｅｄ  ｂｒｏａｄｃａｓｔ  ｃｈａｎｎｅｌ）にホーム同報チャネルをマッピングする。例えば、移動局１０がホーム網５０にある間に、ユーザは所望の番組コンテンツすなわちＥＳＰＮを、ＥＳＰＮに割り当てられたホーム同報チャネルすなわち同報チャネル３１を選択することによって選択する。移動局１０が在圏網６０へローミングする場合でも、ユーザはホーム同報チャネル３１でＥＳＰＮの番組コンテンツを受信することを期待するかもしれない。本発明に係るマッピング・プロセッサは、ホーム同報チャネル３１をＥＳＰＮの番組コンテンツを放送する在圏同報チャネル（在圏同報チャネル３３）にマッピングすることによって、この期待に応える。結果として、マッピング・プロセッサ２２は、移動局１０が本当はＥＳＰＮの番組コンテンツを在圏同報チャネル３３で受信していたとしても、ＥＳＰＮの番組コンテンツがいまだにホーム同報チャネル３１を介して移動局１０に到達しているようにユーザに思わせる。言い換えると、本発明に係るマッピング処理は、ユーザに透過的なバックグラウンドのマッピング処理である。ある例示的な実施形態によれば、マッピング・プロセッサ２２は、ホーム・チャネル・インジケータすなわちチャネル３１（ＥＳＰＮの番組コンテンツ）を、同一のＥＳＰＮの番組コンテンツを放送する在圏同報チャネルに関連付けることによって、ホーム同報チャネルを在圏同報チャネルにマッピングする。
【００１４】
図３は、本発明のある実施形態におけるマッピング・プロセッサ２２によって実現される例示的な処理１００を説明する。移動局１０がホーム網５０内にとどまっている間（ステップ１１０）は、移動局１０はユーザが選択したホーム同報チャネルから、番組コンテンツを受信する（ステップ１４０）。一方、移動局１０が在圏網６０に入る場合（ステップ１１０）には、マッピング・プロセッサ２２はマッピング処理を実行する（ステップ１２０）。マッピング処理は、在圏網６０において選択番組コンテンツを放送する在圏同報チャネルにホーム同報チャネルをマッピングする（ステップ１２０）。このマッピング処理に基づいて、ユーザが対応するホーム同報チャネルを選択した場合に、在圏同報チャネルで提供される選択番組コンテンツを受信するようにシステム・プロセッサ２０は送受信器１２を調整する（ステップ１４０）。
【００１５】
例として、以下を考える。ホーム網５０において同報チャネル３１（ＥＳＰＮ）の番組コンテンツを受信する移動局１０が、グリーンズバラ在圏網６０へローミングするかもしれない（ステップ１１０）。それに応じて、マッピング・プロセッサ２２は、在圏網６０でＥＳＰＮが物理チャネル３３を介して提供されることを認識する。したがって、マッピング・プロセッサ２２はグリーンズバラ在圏網６０においてＥＳＰＮの番組コンテンツに割り当てられた同報チャネルであるチャネル３３にチャネル３１をマッピングする（ステップ１２０）。その結果、移動局１０がグリーンズバラ在圏網６０にある場合に、たとえユーザがチャネル３１を選択していたとしても、ユーザはチャネル３３のＥＳＰＮの番組コンテンツを受信するだろう（ステップ１４０）。
【００１６】
図４は、本発明のある例示的な実施形態におけるマッピング処理（ステップ１２０）をさらに詳細に説明する。この実施形態によれば、移動局１０が在圏網６０に入る場合に、マッピング・プロセッサ２２は、在圏網６０において同報チャネルに対するチャネル割り当てを判定するために、在圏網６０で放送され、送受信器１２で受信されるチャネル識別子を読み出す（ステップ１２２）。在圏網６０は任意の既知の手段により、制御チャネルでチャネル識別子を放送してもよい。それに替えて、在圏網６０は番組コンテンツを含むデータ・ストリームの一部としてチャネル識別子を放送してもよい。ともかく、マッピング・プロセッサ２２は、利用できる番組コンテンツに接続するために、在圏網６０においてすべて又は一部の同報チャネルをスキャンしてもよい。そして、マッピング・プロセッサ２２は、マッピング処理を実行するためにスキャン結果を使用する。
【００１７】
受信したチャネル識別子が、選択したホーム同報チャネルの番組コンテンツが在圏網６０において同一の同報チャネルに割り当てられていることを指し示している場合（ステップ１２４）には、マッピング・プロセッサ２２はマッピング機能を回避する。一方、チャネル識別子が、在圏網６０が選択番組コンテンツを放送するために異なる同報チャネルを使用することを指し示す場合（ステップ１２４）には、マッピング・プロセッサ２２は、チャネル識別子に基づいて在圏網６０において選択番組コンテンツを放送する同報チャネルを特定し、特定された在圏同報チャネルにホーム同報チャネルをマッピングする（ステップ１２６）。ユーザが在圏網６０にとどまる限り、マッピング・プロセッサ２２は、ユーザが新たなチャネルを選択するたびに、又は移動局１０が新たな在圏網６０に入るたびに、マッピング処理（ステップ１２０）を繰り返す。移動局１０がホーム網５０に戻る場合には、マッピング・プロセッサ２２は、マッピング・プロセッサ２２により実行されるマッピングを無効にする。
【００１８】
図５は本発明の別の例示的な実施形態におけるマッピング処理（ステップ１２０）をさらに詳細に説明する。図５は特定の順序のマッピング処理ステップを説明するが、マッピング処理はこの特定のステップの順序に制限されないことが当業者に理解されよう。この実施形態によれば、在圏網６０において同報チャネルのためのチャネル割り当てを判定するために、マッピング・プロセッサ２２は、在圏網６０によって放送されるチャネル識別子を読み出す（ステップ１２２）。ホーム網において利用できない同報チャネルをチャネル識別子が特定した場合（ステップ１２８）には、マッピング・プロセッサ２２はこれまでに割り当てられていない又は別の方法ではこれまでに使用されていないチャネル識別子に新たな同報チャネルをマッピングし、新たな同報チャネルに関連付けられた放送情報をメモリに記憶する（ステップ１３０）。
【００１９】
ホーム網５０において対応する同報チャネルを有する在圏同報チャネルをチャネル識別子が特定した場合（ステップ１２８）には、マッピング・プロセッサ２２は特定された在圏同報チャネルと対応するホーム同報チャネルとが同一であるか否かを判定する（ステップ１２４）。これらが同一である場合には、マッピング・プロセッサ２２はマッピング機能を回避する。一方、これらが異なる場合には、マッピング・プロセッサ２２はホーム同報チャネルをチャネル識別子により特定された対応する在圏同報チャネルにマッピングする（ステップ１２６）。ユーザが在圏網６０にとどまる限り、マッピング・プロセッサ２２は、ユーザが新たなチャネルを選択するたびに、又は移動局１０が新たな在圏網６０に入るたびに、マッピング処理（ステップ１２０）を繰り返す。移動局１０がホーム網５０に戻る場合には、マッピング・プロセッサ２２は、マッピング・プロセッサ２２により実行されるマッピングを無効にする。
【００２０】
以上はマッピング・プロセッサ２２がホーム網５０に現在割り当てられている選択された同報チャネルを同一の番組コンテンツを放送している在圏同報チャネルにどのようにマッピングするかを説明する。ユーザがホーム同報チャネルに関連付けられたチャネル識別子を使用して所望の番組コンテンツをなおも選択するかもしれないので、このマッピング処理はユーザに透過的である。
【００２１】
マッピング・プロセッサ２２は必要に応じてマッピング処理を実行するだけでよいことが理解されよう。言い換えると、マッピング・プロセッサ２２は現在選択された同報チャネルをマッピングするだけでもよい。ユーザが新たな同報チャネルを選択するたびに、マッピング・プロセッサ２２は新たに選択された同報チャネルを在圏網６０において対応する同報チャネルにマッピングする。これに替えて、マッピング・プロセッサ２２は、移動局１０が在圏網６０に入る際にホーム網５０に割り当てられた複数の同報チャネルをマッピングし、その結果のマッピングをメモリ１６に記憶してもよい。この実施形態によれば、在圏網にいる間にユーザが新たな同報チャネルを選択するたびに、マッピング・プロセッサ２２はメモリ１６から適切なマッピングを読み出す。さらに、マッピング・プロセッサ２２は将来の使用に備えてメモリ１６に特定の在圏網６０に関連付けられたマッピング情報を記憶してもよい。その結果、移動局１０が在圏網６０に戻る場合に、マッピング・プロセッサ２２は以前に生成され記憶されたマッピング情報をマッピング処理の間に使用するためにメモリ１６から読み出してもよい。
【００２２】
上述した発明は、ネットワーク固有の同報チャネルを共通の番組コンテンツに割り当てる任意のマルチメディア放送システムに適用される。例えば、本発明はＤＶＢ−Ｈシステムに適用される。
【００２３】
当然のことながら、本発明は、本発明の本質的な特性から逸脱することなしに、本明細書で具体的に説明された方法と異なる方法で実行されてもよい。本実施形態は例示的であり非限定的であるとみなされるべきであり、添付の請求の範囲の意図と均等範囲とを備えるすべての変形は請求の範囲に包含される。
【図面の簡単な説明】
【００２４】
【図１】本発明のある例示的な実施形態における移動局の一例を説明する図である。
【図２】例示的なマルチメディア放送網を説明する図である。
【図３】本発明のある例示的な実施形態における方法の一例を説明する図である。
【図４】例示的なマッピング方法の一例をさらに詳細に説明する図である。
【図５】別の例示的なマッピング方法の一例をさらに詳細に説明する図である。
【図１】
2009518948.tif 000003
【図２】
2009518948.tif 000004
【図３】
2009518948.tif 000005
【図４】
2009518948.tif 000006
【図５】
2009518948.tif 000007
【手続補正書】
【提出日】平成19年3月12日(2007.3.12)
【手続補正１】
【補正対象書類名】特許請求の範囲
【補正対象項目名】全文
【補正方法】変更
【補正の内容】
【特許請求の範囲】
【請求項１】
ホーム網（５０）の外へローミングする移動局（１０）で選択番組コンテンツを受信する方法であって、
在圏網（６０）において番組コンテンツを放送する１以上の同報チャネルを介してチャネル識別子を受信する工程と、
前記移動局（１０）が前記ホーム網（５０）内に位置する間に、該移動局（１０）は第１の同報チャネルで前記選択番組コンテンツを受信する工程と、
前記移動局（１０）が前記在圏網（６０）へローミングする場合に、前記受信したチャネル識別子に基づいて前記在圏網（６０）において前記選択番組コンテンツを放送する第２の同報チャネルに前記第１の同報チャネルをマッピングする工程と、
前記移動局（１０）が前記在圏網（６０）内に位置する間に、該移動局（１０）は前記第２の同報チャネルで前記選択番組コンテンツを受信する工程と
を備える方法。
【請求項２】
前記第２の同報チャネルに前記第１の同報チャネルをマッピングする工程は、該第１の同報チャネルに割り当てられた第１のチャネル・インジケータを該第２の同報チャネルに関連付ける工程を備えることを特徴とする請求項１に記載の方法。
【請求項３】
前記第１のチャネル・インジケータはホーム網（５０）によって前記第１の同報チャネルに割り当てられることを特徴とする請求項２に記載の方法。
【請求項４】
前記第１のチャネル・インジケータは、前記第１の同報チャネルに関連付けられたネットワーク割り当てのチャネル・インジケータに関連付けられたユーザ選択のチャネル・インジケータを備えることを特徴とする請求項２に記載の方法。
【請求項５】
前記第２の同報チャネルに前記第１の同報チャネルをマッピングする工程は、前記受信したチャネル識別子に基づいて該第２の同報チャネルに該第１の同報チャネルをマッピングする工程を備えることを特徴とする請求項１に記載の方法。
【請求項６】
前記移動局（１０）が前記在圏網（６０）へローミングする場合に、新たな番組コンテンツに新たなチャネル・インジケータを割り当てる工程をさらに備え、前記新たな番組コンテンツは前記ホーム網（５０）で利用できないことを特徴とする請求項１に記載の方法。
【請求項７】
将来の使用のために前記第１の同報チャネルの前記第２の同報チャネルへのマッピングに関連付けられたマッピング情報を記憶する工程をさらに備える請求項１に記載の方法。
【請求項８】
移動局（１０）であって、
在圏網（６０）において番組コンテンツを放送する１以上の同報チャネルを介してチャネル識別子を受信し、
前記移動局（１０）がホーム網（５０）内に位置する間に、第１の同報チャネルで前記選択番組コンテンツを受信し、
前記移動局（１０）が前記在圏網（６０）内に位置する間に、第２の同報チャネルで前記選択番組コンテンツを受信する
ように構成された送受信器（１２）と、
前記移動局（１０）が前記在圏網（６０）へローミングする場合に、前記受信したチャネル識別子に基づいて前記在圏網（６０）において前記選択番組コンテンツを放送する第２の同報チャネルに前記第１の同報チャネルをマッピングするように構成されたプロセッサ（２２）と
を備える移動局（１０）。
【請求項９】
前記プロセッサ（２２）は、該第１の同報チャネルに割り当てられた第１のチャネル・インジケータを該第２の同報チャネルに関連付けることによって、前記第２の同報チャネルに前記第１の同報チャネルをマッピングすることを特徴とする請求項８に記載の移動局（１０）。
【請求項１０】
前記第１のチャネル・インジケータはホーム網（５０）によって前記第１の同報チャネルに割り当てられることを特徴とする請求項９に記載の移動局（１０）。
【請求項１１】
前記第１のチャネル・インジケータは、前記第１の同報チャネルに関連付けられたネットワーク割り当てのチャネル・インジケータに関連付けられたユーザ選択のチャネル・インジケータを備えることを特徴とする請求項９に記載の移動局（１０）。
【請求項１２】
前記プロセッサ（２２）は、前記移動局（１０）が前記在圏網（６０）へローミングする場合に、新たな番組コンテンツに新たなチャネル・インジケータを割り当てるようにさらに構成され、
前記新たな番組コンテンツは前記ホーム網（５０）で利用できないことを特徴とする請求項８に記載の移動局（１０）。
【請求項１３】
前記送受信器（１２）は、デジタル・ビデオ・ブロードキャスティング受信器を備えることを特徴とする請求項８に記載の移動局（１０）。
【請求項１４】
将来の使用のために前記第１の同報チャネルの前記第２の同報チャネルへのマッピングに関連付けられたマッピング情報を記憶するように構成されたメモリ（１６）をさらに備える請求項８に記載の移動局（１０）。
【手続補正書】
【提出日】平成20年8月7日(2008.8.7)
【手続補正１】
【補正対象書類名】特許請求の範囲
【補正対象項目名】全文
【補正方法】変更
【補正の内容】
【特許請求の範囲】
【請求項１】
ホーム網（５０）の外へローミングする移動局（１０）で選択番組コンテンツを受信する方法であって、
在圏網（６０）において番組コンテンツを放送する１以上の同報チャネルを介してチャネル識別子を受信する工程と、
前記移動局（１０）が前記ホーム網（５０）内に位置する間に、該移動局（１０）は第１の同報チャネルで前記選択番組コンテンツを受信する工程と、
前記移動局（１０）が前記在圏網（６０）へローミングする場合に、前記受信したチャネル識別子に基づいて前記在圏網（６０）において前記選択番組コンテンツを放送する第２の同報チャネルに前記第１の同報チャネルをマッピングする工程と、
前記移動局（１０）が前記在圏網（６０）内に位置する間に、該移動局（１０）は前記第２の同報チャネルで前記選択番組コンテンツを受信する工程と
を備える方法。
【請求項２】
前記第２の同報チャネルに前記第１の同報チャネルをマッピングする工程は、該第１の同報チャネルに割り当てられた第１のチャネル・インジケータを該第２の同報チャネルに関連付ける工程を備えることを特徴とする請求項１に記載の方法。
【請求項３】
前記第１のチャネル・インジケータはホーム網（５０）によって前記第１の同報チャネルに割り当てられることを特徴とする請求項２に記載の方法。
【請求項４】
前記第１のチャネル・インジケータは、前記第１の同報チャネルに関連付けられたネットワーク割り当てのチャネル・インジケータに関連付けられたユーザ選択のチャネル・インジケータを備えることを特徴とする請求項２に記載の方法。
【請求項５】
前記第２の同報チャネルに前記第１の同報チャネルをマッピングする工程は、前記受信したチャネル識別子に基づいて該第２の同報チャネルに該第１の同報チャネルをマッピングする工程を備えることを特徴とする請求項１に記載の方法。
【請求項６】
移動局（１０）であって、
在圏網（６０）において番組コンテンツを放送する１以上の同報チャネルを介してチャネル識別子を受信し、
前記移動局（１０）がホーム網（５０）内に位置する間に、第１の同報チャネルで前記選択番組コンテンツを受信し、
前記移動局（１０）が前記在圏網（６０）内に位置する間に、第２の同報チャネルで前記選択番組コンテンツを受信する
ように構成された送受信器（１２）と、
前記移動局（１０）が前記在圏網（６０）へローミングする場合に、前記受信したチャネル識別子に基づいて前記在圏網（６０）において前記選択番組コンテンツを放送する第２の同報チャネルに前記第１の同報チャネルをマッピングするように構成されたプロセッサ（２２）と
を備える移動局（１０）。
【請求項７】
前記プロセッサ（２２）は、該第１の同報チャネルに割り当てられた第１のチャネル・インジケータを該第２の同報チャネルに関連付けることによって、前記第２の同報チャネルに前記第１の同報チャネルをマッピングすることを特徴とする請求項６に記載の移動局（１０）。
【請求項８】
前記第１のチャネル・インジケータはホーム網（５０）によって前記第１の同報チャネルに割り当てられることを特徴とする請求項７に記載の移動局（１０）。
【請求項９】
前記第１のチャネル・インジケータは、前記第１の同報チャネルに関連付けられたネットワーク割り当てのチャネル・インジケータに関連付けられたユーザ選択のチャネル・インジケータを備えることを特徴とする請求項７に記載の移動局（１０）。
【請求項１０】
前記プロセッサ（２２）は、前記移動局（１０）が前記在圏網（６０）へローミングする場合に、新たな番組コンテンツに新たなチャネル・インジケータを割り当てるようにさらに構成され、
前記新たな番組コンテンツは前記ホーム網（５０）で利用できないことを特徴とする請求項６に記載の移動局（１０）。
【手続補正２】
【補正対象書類名】明細書
【補正対象項目名】０００５
【補正方法】変更
【補正の内容】
【０００５】
この問題を解決するために、本発明に係る移動局は、移動局が在圏網に入る場合に、在圏網において選択コンテンツを放送する第２のチャネルに第１のチャネルをマッピングする。この結果、移動局が第２の同報チャネルで選択コンテンツを物理的に受信する間は、移動局が在圏網にとどまる限り、ユーザは第１の同報チャネルを選択することによって所望のコンテンツを選択できる。従って、本発明により実行されるマッピングはユーザに透過的である。
本発明は、ホーム網の外へローミングする移動局で選択番組コンテンツを受信する方法を含む。ある例示的な方法において、在圏網において番組コンテンツを放送する１以上の同報チャネルを介してチャネル識別子を受信する工程と、前記移動局が前記ホーム網内に位置する間に、該移動局は第１の同報チャネルで前記選択番組コンテンツを受信する工程と、前記移動局が前記在圏網へローミングする場合に、前記受信したチャネル識別子に基づいて、前記在圏網において前記選択番組コンテンツを放送する第２の同報チャネルに前記第１の同報チャネルをマッピングする工程と、前記移動局が前記在圏網内に位置する間に、該移動局は前記第２の同報チャネルで前記選択番組コンテンツを受信する工程とを備える。
ある例示的な方法において、前記第２の同報チャネルに前記第１の同報チャネルをマッピングする工程は、該第１の同報チャネルに割り当てられた第１のチャネル・インジケータを該第２の同報チャネルに関連付ける工程を備える。
ある例示的な方法において、前記第１のチャネル・インジケータはホーム網によって前記第１の同報チャネルに割り当てられる。
ある例示的な方法において、前記第１のチャネル・インジケータは、前記第１の同報チャネルに関連付けられたネットワーク割り当てのチャネル・インジケータに関連付けられたユーザ選択のチャネル・インジケータを備える。
ある例示的な方法において、前記第２の同報チャネルに前記第１の同報チャネルをマッピングする工程は、前記受信したチャネル識別子に基づいて該第２の同報チャネルに該第１の同報チャネルをマッピングする工程を備える。
ある例示的な方法は、前記移動局が前記在圏網へローミングする場合に、新たな番組コンテンツに新たなチャネル・インジケータを割り当てる工程をさらに備え、前記新たな番組コンテンツは前記ホーム網で利用できないことを特徴としてもよい。
ある例示的な方法は、将来の使用のために前記第１の同報チャネルの前記第２の同報チャネルへのマッピングに関連付けられたマッピング情報を記憶する工程をさらに備えてもよい。
本発明の実施形態は移動局をさらに備えてもよい。ある実施形態に係る移動局は、在圏網において番組コンテンツを放送する１以上の同報チャネルを介してチャネル識別子を受信し、前記移動局がホーム網内に位置する間に、第１の同報チャネルで前記選択番組コンテンツを受信し、前記移動局が前記在圏網内に位置する間に、第２の同報チャネルで前記選択番組コンテンツを受信するように構成された送受信器と、前記移動局が前記在圏網へローミングする場合に、前記受信したチャネル識別子に基づいて、前記在圏網において前記選択番組コンテンツを放送する第２の同報チャネルに前記第１の同報チャネルをマッピングするように構成されたプロセッサとを備える。
ある例示的な移動局では、前記プロセッサは、該第１の同報チャネルに割り当てられた第１のチャネル・インジケータを該第２の同報チャネルに関連付けることによって、前記第２の同報チャネルに前記第１の同報チャネルをマッピングする。
ある例示的な移動局では、前記第１のチャネル・インジケータはホーム網によって前記第１の同報チャネルに割り当てられる。
ある例示的な移動局では、前記第１のチャネル・インジケータは、前記第１の同報チャネルに関連付けられたネットワーク割り当てのチャネル・インジケータに関連付けられたユーザ選択のチャネル・インジケータを備える。
ある例示的な移動局では、前記プロセッサは、前記移動局が前記在圏網へローミングする場合に、新たな番組コンテンツに新たなチャネル・インジケータを割り当てるようにさらに構成され、前記新たな番組コンテンツは前記ホーム網で利用できないことを特徴とする。
ある例示的な移動局では、前記送受信器は、デジタル・ビデオ・ブロードキャスティング受信器を備える。
例示的な移動局は、将来の使用のために前記第１の同報チャネルの前記第２の同報チャネルへのマッピングに関連付けられたマッピング情報を記憶するように構成されたメモリをさらに備えてもよい。
【国際調査報告】
2009518948.tif 000008
2009518948.tif 000009